(57)【特許請求の範囲】
【請求項１】
圧縮機ケーシング内で圧縮室入口の冷媒通路上流側に介装され、前記ケーシング内の上方から散布されるオイルを受ける位置に配設される吸入マフラであって、
冷媒の導入管及び導出管が吸気マフラの下から上に向かって吸入マフラに接続され、
前記冷媒の導入管及び導出管の吸入マフラとの接続部の外側に、該接続部より下方に突出して該接続部を囲む突出部が配設され、かつ、
前記吸入マフラは、下面が開放された上蓋部材と、上面が開放され、底壁に前記冷媒の導入管及び導出管が接続された下蓋部材とを備え、前記上蓋部材の側壁内面を、前記下蓋部材の側壁外面に接合して嵌合固定し、
前記突出部は、前記上蓋部材の側壁下端を、前記下蓋部材の前記冷媒の導入管及び導出管が接続された底壁下面より下方に突出させて配設したことを特徴とする圧縮機の吸入マフラ。
【請求項２】
圧縮機ケーシング内で圧縮室入口の冷媒通路上流側に介装され、前記ケーシング内の上方から散布されるオイルを受ける位置に配設される吸入マフラであって、
冷媒の導入管及び導出管が吸気マフラの下から上に向かって吸入マフラに接続され、
前記冷媒の導入管及び導出管の吸入マフラとの接続部の外側に、該接続部より下方に突出して該接続部を囲む突出部が配設され、かつ、
前記吸入マフラは、下面が開放された上蓋部材と、上面が開放され、底壁に前記冷媒の導入管及び導出管が接続された下蓋部材とを備え、前記上蓋部材の側壁内面を、前記下蓋部材の側壁外面に接合して嵌合固定し、
前記突出部は、前記下側部材の底壁に、前記冷媒の導入管及び導出管が接続された底壁下面より下方に突出させて配設したことを特徴とする圧縮機の吸入マフラ。
【請求項３】
前記上蓋部材と前記下蓋部材とは、一方の側壁に形成した突起と、他方の側壁に形成した係合孔とを係合させて固定される、請求項１または請求項２に記載の圧縮機の吸入マフラ。
【請求項４】
前記下蓋部材の底壁を貫通して形成された取付孔に、ゴム製のブッシュが取り付けられ、前記ケーシングを貫通して配設された金属製の冷媒導入管の端部が、前記ブッシュの内周面に圧入して装着される、請求項１〜請求項３のいずれか１つに記載の圧縮機の吸入マフラ。
【発明の詳細な説明】
【技術分野】
【０００１】
本発明は、圧縮機ケース内で圧縮室入口の冷媒通路上流側に介装される消音用の吸入マフラに関する。
【背景技術】
【０００２】
この種の吸入マフラは、一般に圧縮機ケース内で上方から飛散される潤滑及び冷却用のオイルを受ける位置に配設される。
吸入マフラにオイルが吸い込まれると、マフラに吸入される冷媒ガスの温度を上昇させ、冷媒密度が低下するので、冷凍能力が低下する。
【０００３】
また、吸い込まれるオイル量が増大すると、吐出側から圧縮機外部のシステム側に持ち出されるオイルが多くなり、圧縮機駆動部の潤滑不足や駆動回路の冷却不足により、性能や信頼性を低下させることとなる。
【０００４】
そこで、特許文献１では、吸入マフラの壁面に付着したオイルが下方の冷媒吸入口に周り込むことを防止するため、吸入マフラのケースにフェンスを固定している。
【先行技術文献】
【特許文献】
【０００５】
【特許文献１】特開平３−１４１８７９号公報
【発明の概要】
【発明が解決しようとする課題】
【０００６】
しかしながら、オイル吸い込み防止用にフェンスを設ける構成は、マフラの形状を複雑にし、コスト高につく。
また、吸入マフラの本体が、２つの分割部材で形成されているが、分割部材相互を溶着して固定しているため、溶着機を必要とし溶着工程を伴うこととも相まって、さらにコスト高についていた。
【０００７】
本発明は、このような従来の課題に着目してなされたもので、簡易な構造により、低コストで、オイルの吸い込みを良好に抑制できる圧縮機の吸入マフラを提供することを目的とする。
【課題を解決するための手段】
【０００８】
このため本発明は、
圧縮機ケーシング内で圧縮室入口の冷媒通路上流側に介装され、前記ケーシング内の上方から散布されるオイルを受ける位置に配設される吸入マフラであって、以下のように構成とした。
冷媒の導入管及び導出管が吸気マフラの下から上に向かって吸入マフラに接続され、
前記冷媒の導入管及び導出管の吸入マフラとの接続部の外側に、該接続部より下方に突出して該接続部を囲む突出部が配設され、かつ、
前記吸入マフラは、下面が開放された上蓋部材と、上面が開放され、底壁に前記冷媒の導入管及び導出管が接続された下蓋部材とを備え、前記上蓋部材の側壁内面を、前記下蓋部材の側壁外面に接合して嵌合固定し、
前記突出部は、前記上蓋部材の側壁下端を、前記下蓋部材の前記冷媒の導入管及び導出管が接続された底壁下面より下方に突出させて配設され、あるいは、前記下側部材の底壁に、前記冷媒の導入管及び導出管が接続された底壁下面より下方に突出させて配設されている。
【発明の効果】
【０００９】
吸入マフラに上方から飛散するオイルを受けても、冷媒の導入管及び導出管の吸入マフラとの接続部外側が突出部で囲まれ、該突出部の下端からオイルを落下させることができるので、冷媒の導入管及び導出管からのオイルの吸い込みを抑制できる。
【図面の簡単な説明】
【００１０】
【図１】本発明に係る吸入マフラを備えた圧縮機の縦断面図。
【図２】同上圧縮機の平面図。
【図３】同上吸入マフラを拡大して示す正面図。
【図４】図３のＡ−Ａ矢視断面図。
【図５】図３のＢ−Ｂ矢視断面図。
【図６】図３のＣ−Ｃ矢視断面図。
【図７】本発明に係るマフラの別の実施形態の要部断面図。
【発明を実施するための形態】
【００１１】
以下、本発明に係る吸入マフラを備えた圧縮機の実施形態を、図面を参照して説明する。
圧縮機の縦断面図、平面図を示す図１，図２において、ケーシング１内には、モータ２と、該モータ２によって駆動される圧縮機構３とが、支持プレート４を介して支持され、底部にオイルＯＬを貯留している。
【００１２】
モータ２は、ステータ２１とロータ２２とを備えて構成され、ロータ２２の中心部を上下方向に延びるロータ軸２２ａは、ステータ２１の下面に固定された軸受部材５に軸受されている。
ロータ軸２２ａは、軸受部材５より下方に突出する部分に、回転中心軸に対して偏心した中心軸を持つ偏心部２２ｂを有したクランク軸状に形成される。
【００１３】
偏心部２２ｂには、その中心軸に沿って油孔２２ｃが形成され、該油孔２２ｃには、下端部が貯留オイルＯＬに浸された給油管６の上端部が圧入されて固定される。給油管６は、下端が回転中心軸近傍に位置するように屈曲して形成される。
油孔２２ｃの上部は、偏心部２２ｂより上方まで延長して形成され、油孔２２ｃの上端部は、ロータ軸２２ａの外周面に沿って螺旋状に形成された油溝２２ｄの下端部と連通する。油溝２２ｄは、上端がロータ軸２２ａの上端面に連なって開放されるように形成される。
【００１４】
圧縮機構３は、以下のように構成されている。
軸受部材５の下端には、シリンダブロック３１が固定される。シリンダブロック３１に形成されたシリンダボア３１ａには、ピストン３２が嵌挿され、該ピストン３２と偏心部２２ｂとが、ピストンピン３３を介してコンロッド３４により連結される。
【００１５】
シリンダブロック３１の偏心部２２ｂとは反対側の端面には、バルブプレート３５を介してシリンダヘッド３６が締結される。
バルブプレート３５には、ピストン３２の端面に面した部分に、リード弁構造等の吸入弁と吐出弁（図示せず）が装着される。
シリンダヘッド３６とバルブプレート３５との間に、以下の構造を有した吸入マフラ７が配設される。
【００１６】
吸入マフラ７は、図３〜図６に拡大して示すように、樹脂製の箱型本体が、下面を開放した上蓋部材７１と、上面が開放された下蓋部材７２とで構成され、これら上蓋部材７１と下蓋部材７２とを嵌合して形成される内部空間には、フィルタ（ストレーナ）７３が装着される。
【００１７】
上蓋部材７１の側壁には複数個所（図では４箇所）に係合孔７１ａが開口され、下蓋部材７２の側壁には、係合孔７１ａに対応する箇所に、外側に突出する爪部（突起）７２ａが形成される。
また、上蓋部材７１は、その横断面積が下部に比較して上部が縮小するように、段差を有して形成される。
【００１８】
そして、上蓋部材７１の下部側壁内面を、下蓋部材７２の側壁外面に接合して嵌合し、爪部７２ａを係合孔７１ａに係合させて固定する。このとき、上蓋部材７１の段差に下蓋部材７２の上端面が突き当たり、段差がストッパの機能を有する。
【００１９】
そして、上記のように上蓋部材７１と下蓋部材７２を嵌合したときに、上蓋部材７１の側壁下端が下蓋部材７２の底壁下面より下方に突出するように形成されている。
下蓋部材７２の底壁には、以下のように冷媒の導入管と導出管とが接続される。
【００２０】
下蓋部材７２の底壁の長手方向一方の端部付近に開口した取付孔７２ｂに、ゴム製のブッシュ７２ｃを嵌合して形成される。このブッシュ７２ｃの内周面には、ケーシング１壁を貫通して装着された金属製の冷媒導入管８の端部が圧入して接続される。
【００２１】
ここで、前記取付孔７２ｂの孔径を、ブッシュ７２ｃの取付部の外径より大きめに隙間を開けて形成しておくことにより、冷媒導入管８を、位置ずれを許容し、変形を抑制しつつ吸入マフラ７に容易に取り付けることができる。
【００２２】
一方、下蓋部材７２底壁の中央部付近には、冷媒入口側とはフィルタ７３を挟んで下流側に位置する部分から下方に方形筒状に突出する冷媒導出管７２ｄが一体成形されて接続される。
【００２３】
したがって、上述したように、上蓋部材７１の側壁下端が下蓋部材７２の底壁下面より下方（冷媒導入管８及び冷媒導出管７２ｄの吸入マフラ７との接続部より下方）に突出させることで、前記冷媒導入管８及び冷媒導出管７２ｄの吸入マフラ７との接続部外側を囲む突出部７２ｆが配設される。
【００２４】
冷媒導出管７２ｄは、シリンダヘッド３６の上面から下方に向けて形成された凹部３６ａとバルブプレート３５との間に嵌合される。ここで、冷媒導出管７２ｄの外壁から突出して形成された突起７２ｅを、凹部３６ａの一部を内側に凹ませて形成された係合穴３６ｂに係合させることにより、冷媒導出管７２ｄを位置決めしてシリンダヘッド３６に取り付けることができる。
凹部３６ａの下端部は、バルブプレート３５の吸入弁を介して圧縮室に連通する。
【００２５】
一方、シリンダヘッド３６には、一端部がバルブプレート３６の吐出弁を介して圧縮室に連通する冷媒吐出孔３６ｃが形成され、該冷媒吐出孔３６ｃの他端部には、金属製の冷媒吐出管９の一端部が接続され、冷媒吐出管９の他端部は、吐出マフラ１０の入口に接続される。
吐出マフラ１０の吐出口には、ケーシング１を貫通して装着された金属製の冷媒導出管１１の端部が接続される。
【００２６】
次に、上記圧縮機の作動を説明する。
モータ２が通電されると、ロータ２２と一体にロータ軸２２ａが回転し、偏心部２２ｂの回転動作が、コンロッド３４の動作を介してピストン３２の往復動に変換される。
これにより、ピストン３２が図１で右方向に動作すると圧縮室の容積が増大し、負圧吸引力を生じて吸入弁が開弁され、ケーシング１外（蒸発器から）の冷媒が、冷媒導入管８から吸入マフラ７，凹部３６ａを通り吸入弁を介して圧縮室内に吸入される。
【００２７】
冷媒が吸入マフラ７内を流通する間に、フィルタ７３によってろ過されると共に、膨張、圧縮による消音機能により、吸気音レベルを低減できる。
ピストン３２が図１で左方向に動作すると圧縮室の容積が減少し、加圧された冷媒が吐出弁から吐出され、冷媒吐出孔３６ｃ、冷媒吐出管９、吐出マフラ１０を通って冷媒導出管１１からケーシング１外のシステム（凝縮器）に導出される。
【００２８】
一方、偏心部２２ｂの回転によって、傾斜する給油管６及び螺旋状の油溝２２ｄに生じる遠心力（の上方への分力）により、貯留オイルＯＬが給油管６から吸引され、油孔２２ｃ及び油溝２２ｄを経由してロータ軸２２ａの上端から上方に向かって飛散される。
【００２９】
上方に飛散されたオイルは、ケーシング１の天井面に当たった後、放射状に周辺部に流動しつつ一部は油滴となって落下し、下方に配設された各構成部材に付着した後、貯留オイルＯＬに戻される。かかるオイルの循環により、各部の潤滑および冷却が行われる。
上記のように落下したオイルの一部は、吸入マフラ７の上蓋部材７１表面に付着する。
【００３０】
上蓋部材７１に付着したオイルは、上蓋部材７１の側壁表面に沿って流下し、側壁の下端に達すると、油滴となって落下する。
【００３１】
ここで、上蓋部材７１の側壁下端（突出部７２ｆの下端）が下蓋部材７２の底壁下面より下方（冷媒導入管８及び冷媒導出管７２ｄの吸入マフラ７との接続部より下方）に位置する。換言すれば、下蓋部材７２の底壁下面が上蓋部材７１の側壁下端より上方に位置するため、上蓋部材７１の側壁下端から下蓋部材７２の底壁下面へのオイルの上方への流動を効果的に抑制しつつ上蓋部材７１の側壁下端から落下させることができる。
【００３２】
このように、吸入マフラ７に付着したオイルを、冷媒導入管８の吸入マフラ７への接続部を囲む上蓋部材７１の側壁下端（突出部７２ｆの下端）から落下させることにより、オイルが吸入マフラ７内に吸い込まれることを抑制できる。
【００３３】
特に、上述したように、冷媒導入管８を吸入マフラ７に容易に取り付けるため、ブッシュ取付孔とブッシュ７２ｃとの間に隙間を持たせて比較的緩めに嵌合させていること等により、吸入マフラ７内部からの吸入負圧が前記隙間に伝達されている。このため、この付近までオイルが流動した場合には、該隙間から吸入マフラ７内にオイルが吸い込まれやすい状態にある。これに対し、本実施形態では、上蓋部材７１の側壁下端からオイルを落下させ、この隙間部分へのオイルの流動を抑制できるため、該隙間を介してのオイルの吸い込みを良好に抑制できる。
【００３４】
また、上蓋部材７１と下蓋部材７２との接合面、及び下蓋部材７２の冷媒導出管７２ｄ外壁面とシリンダヘッド３６の凹部３６ａ内壁面との接合面は、比較的密に接合されているため、接合面に伝達される吸入負圧は弱められてはいるものの、これら接合面までオイルが達した場合には、該接合面を介して吸入マフラ７へオイルが吸い込まれる可能性がある。しかし、この場合も、冷媒導出管７２ｄの吸入マフラ７への接続部を囲む上蓋部材７１の側壁下端（突出部７２ｆの下端）からオイルを落下させ、上記接合面付近までオイルが流動することを抑制できるため、該接合面を介してのオイルの吸い込みを良好に抑制できる。
【００３５】
図７は、別の実施形態を示し、下蓋部材７２の底壁の周縁部を下方に突出させて冷媒導入管８及び冷媒導出管７２ｄの吸入マフラ７との接続部外側を囲む突出部７２ｇを配設したものである。上蓋部材７１の側壁の高さは短く形成し、その下端は下蓋部材７２の底壁より上方に位置する。
【００３６】
本実施形態では、上蓋部材７１の側壁を流下するオイルは、下蓋部材７２の側壁に移動して該側壁を流下するが、突出部７２ｇの下端まで流下すると、そこより上方への流動を抑制しつつ、該突出部７２ｇの下端からオイルを落下させることができるので、冷媒の入口部や出口部からのオイルの吸い込みを抑制できる。
【００３７】
なお、本実施形態では上蓋部材７１の下端が突出部７２ｇより上方に位置するが、上蓋部材７１と下蓋部材７２とは密着して嵌合され、かつ、上蓋部材７１の側壁内面が下蓋部材７２の側壁外面に接合して接合端が下方に面しているため、該接合部からのオイルの吸い込みを抑制できる。
【００３８】
また、本実施形態では、底壁の周縁部を下方に突出させて突出部７２ｇを配設したが、周縁部より内側で、冷媒導入管８及び冷媒導出管７２ｄの吸入マフラ７との接続部外側を囲む突出部を配設する構成としてもよい。
【００３９】
なお、以上示した実施形態では、上蓋部材７１の側壁下端は、ブッシュ７２ｃの下端より下方に位置させたものを示したが、上蓋部材７１の側壁下端よりブッシュ７２ｃの下端が下方に位置させた場合も、吸入マフラへのオイル吸い込み抑制効果は変わりないことが確認された。
【００４０】
また、係合孔７１ａと爪部７２ａとの隙間を介してのオイルの吸い込みも、これら隙間部分が小さいこともあって、良好に抑制されることが確認された。
【００４１】
以上のように、吸入マフラ７へのオイルの吸い込みを良好に抑制できる結果、冷媒ガスの温度上昇、ひいては冷媒密度低下による冷凍能力の低下を抑制できると共に、圧縮機外部へのオイルの持ち出しによる圧縮機内のオイル不足によって圧縮機駆動部の潤滑不足や駆動回路の冷却不足、ひいては性能や信頼性の低下を回避できる。
【００４２】
そして、吸入マフラ７は、オイル吸い込み抑制用の特別な部材を必要とせず、また、上蓋部材７１と下蓋部材７２とを嵌合のみで容易に固定され、溶着機や溶着工程も不要である。このように、低コストで容易に製造できる吸入マフラ７によって、上記のような吸入マフラ７への良好なオイル吸い込み抑制効果を得ることができる。
【００４３】
なお、本発明に係る吸入マフラが適用される圧縮機は、上記実施形態に示したものに限られず、オイルが上方から飛散され、該飛散されたオイルを受ける位置に吸入マフラが配設されているものであれば、いかなる圧縮機にも適用できる。
【符号の説明】
【００４４】
２…モータ
３…圧縮機構
６…給油管
７…吸入マフラ
８…冷媒導入管
２２ａ…回転軸
２２ｂ…偏心部
２２ｃ…油孔
２２ｄ…油溝
７１…上蓋部材
７１ａ…係合孔
７２…下蓋部材
７２ａ…爪部
７２ｂ…ブッシュ取付孔
７２ｃ…ブッシュ
７２ｄ…吐出管
７２ｆ、７２ｇ…突出部
【図１】
0005632334.tif 000002
【図２】
0005632334.tif 000003
【図３】
0005632334.tif 000004
【図４】
0005632334.tif 000005
【図５】
0005632334.tif 000006
【図６】
0005632334.tif 000007
【図７】
0005632334.tif 000008